(57)【特許請求の範囲】
【請求項１】
左右の前脚の上端部間に背凭を支持してなる前脚枠と、略Ｕ字形に形成し並行する左右の脚の各上端部を前記左右の前脚の高さの途中に各回動自由に連結して人字形に組み付けられる後脚枠と、前記前脚枠と後脚枠の高さの途中に渡して左右の側縁部の前後の２点を前脚と後脚にそれぞれ回動自由に枢着し支持される座とからなり、折りたゝみ時には前記座の前縁を前記前脚との枢着点を支点に跳ね上げ回動させるのに伴わせて前記後脚を引き下げながら前脚に引き揃え偏平に折りたゝみ、また使用に際しての開脚時には前記座の前縁を押し下げ前記前脚との枢着点を交点に回動させると同時に前記後脚を引き上げ且つこの脚の上端部を前記前脚との定位置に止めて人文字形に開脚させ前記座を水平に支持し着席可能にしてなる折りたゝみ椅子において、
前記前脚枠の左右の前脚には高さの途中に連結ロッドを有する連結雄部材を枢着ピンを介して回動自由に取付ける一方、前記後脚枠の左右の後脚には上端部開口部に軸心部分に前記連結ロッドの断面形に適合させた貫通孔を穿つ連結雌部材を嵌合し、該連結雌部材の前記貫通孔に前記連結ロッドを無理に押込み挿通することによって該連結雄部材と連結雌部材とを結合して前記前脚と前記後脚とを連結すると共に、前記折りたゝみ時には前記連結ロッドを前記貫通孔の摩擦抵抗に抗して引き出し、また前記開脚時には該連結ロッドを前記貫通孔の摩擦抵抗に抗して押し入れることによって前記脚及び座の任意の回動を抑制することを特徴とした折りたゝみ椅子。
【請求項２】
請求項１の記載にされる折りたゝみ椅子において、連結雌部材は先端部に軸心部分に沿って形成する貫通孔に沿って切り込む切り込みによって弾性片部を形成すると共に、該弾性片部の外周面に膨出部を形成し、該連結雌部材を後脚の上端部開口部に嵌合する際前記膨出部を後脚の内周面に当接して前記貫通孔を縮径させ連結雄部材の連結ロッドを挟み込むことによって摩擦抵抗を高めるようにしてなることを特徴とした折たゝみ椅子。
【発明の詳細な説明】
【０００１】
【発明の属する技術分野】
本発明は、前脚枠と後脚枠とを人字形に組付けて座を支持し、不使用時には両脚枠を座の回動によって閉脚し、座と共に両脚枠を偏平に折りたゝめるようにした折りたゝみ椅子に関する。
【０００２】
【従来の技術】
前脚枠と後脚枠を人字形に組み座の回動に伴わせて脚を開閉するようにした折りたゝみ椅子は、座そのものが前後の脚枠の開閉を制御するものとなっており、例えば折りたゝまれ不使用の状態になっている椅子を使用可能な状態にするには前脚枠との枢着点を支点に座の前縁部を押し下げ、この押し下げによって後脚枠を後方に開いて人字形に開脚することによって行っている。このとき押し下げ倒した座は開脚した前後の脚で水平に支持され使用可能な状態となり、且つこの座によって閉脚するのを拘束し、安定化させることになる。
【０００３】
そして、椅子の折りたゝみは座の前端縁を持ち上げ、再び前脚枠との枢着点を支点に跳上げる如く回動させることによって行われる。座はこの回動によって両側縁部を前脚枠に揃えると共に、後脚枠を後側から引き寄せて前脚枠の後に引き揃え、偏平状に折りたゝまれることになる。
【０００４】
この様に、折りたゝみ椅子は座の回動操作によって脚を開閉させるものとなっているが、折りたゝんだ後或いは収納のため運搬する途中で勝手に座が回転したり、脚が開脚したりすると取扱いが極めて厄介なものとなり、また危険でもある。ことに急激に開閉すると指を挟む等怪我の原因になると共に騒音を発することにもなる。
【０００５】
そこで、勝手に開脚したり閉脚するのを防止するため従来は脚と座を枢着する軸をかしめる等して強く締め付け、或いは枢着軸にワッシャを嵌めて脚と座の間に挟み軸の回転抵抗を高くして任意に開閉脚しないようにしていた。
【０００６】
【発明が解決しようとする課題】
しかし、この従来法による場合、製品の均一化のため製品毎に枢着軸の締め付けを一定にする必要があるが、この作業は厄介であり、また大変困難でもあり、製品間にバラ付きが出る問題がある。また使用によって緩みが発生し初期の回転抵抗が得られなくなる等の問題があり充分な解決策にはなっていない。
【０００７】
本発明は、かかる実情に鑑み開発されたもので、枢着軸のかしめや、ワッシャ等による枢着回転部における抵抗に代えて、前後の脚の間若しくは脚と座との間に摩擦抵抗手段を介挿し、座の回動操作による開閉脚操作時に所要の抵抗を付与して急激な開閉動を抑制し不用意な開閉脚を防止するようにした折りたゝみ椅子を提供しようとするものである。
【０００８】
【課題を解決するための手段】
本発明は上記課題を解決するため人字形に組付けられる前脚枠と後脚枠の脚相互間に、またはこれらの脚と座との間に互いに擦り合う摩擦抵抗手段を介挿して脚の開閉動に、或いは座の回動の対して所要の負担を掛け不測にこれら脚や座が回動しないようにしたことにあり、これによって急激な椅子の開閉を抑制し、或いは折りたゝみ閉脚したとき任意に開脚しないように拘束してその取扱いを容易且つ安全にした折りたゝみ椅子を提供することにある。
【０００９】
本発明を更に詳述すれば、その特徴とするところは左右の前脚の上端部間に背凭を支持してなる前脚枠と、略Ｕ字形に形成し並行する左右の脚の各上端部を前記左右の前脚の高さの途中に連結し人字形に組み付けられる後脚枠と、前記前脚枠と後脚枠の高さの途中に渡して左右側縁部の前後の２点を前脚と後脚にそれぞれ回動自由に枢着し支持される座とからなり、折りたゝみ時には前記座の前縁を引き上げ前記前脚との枢着点を支点に跳ね上げ回動させると同時に前記後脚を引き下げながら前脚に引き揃えて偏平に折りたゝみ、また使用時には前記座の前縁を押し下げ前記前脚との枢着点を支点に回動させると同時に前記後脚を引き上げてこの脚の上端部を前記前脚との定位置に止めて人文字形に開脚させ前記座を水平に支持し着席可能にしてなる折りたゝみ椅子において、
前記座の回動に伴って交差する座の側縁部と前後いずれかの脚との間、若しくは前後の脚相互の間の交差部に摩擦抵抗手段を介挿し、脚の開閉動の際脚及び座の急激な回動が抑制されるようにしてなることを特徴とした折りたゝみ椅子を提供することにある。
【００１０】
また本発明は、前記折りたゝみ椅子にあって前記摩擦抵抗手段は前脚と該前脚の高さの途中に連結される後脚の上端部との間に介挿する雄，雌の連結部材からなる連結案内手段と一体のものとして、両脚の開閉時に該雄雌両連結部材を互いに擦り合わせ両脚の開閉に際して急激な開閉動を抑制するようにしてなることを特徴とした折りたゝみ椅子を提供することにある。
【００１１】
また本発明は、前記摩擦抵抗手段は座の側縁部に突起部として形成し、該突起部を前記座の回動操作時に互いに交差する前後いずれかの脚の側面に圧接状に摺接させ、この摩擦抵抗により脚の開閉時に急激な回動を抑制するようにしてなる折りたゝみ椅子を提供することにある。
次に、本発明を添付の図面に示す実施例に基づき具体的に説明し、併せてその他の特徴につき説明する。
【００１２】
【実施の形態】
【実施例１】
図１は本発明に係る折りたゝみ椅子の開脚時における斜視図で、図２は図１の椅子を側面側から見た一部を省略する右側面図、図３は閉脚した状態の一部を省略する右側面図、図４は開脚した状態における一部断面とする要部の拡大右側面図であり、図５は閉脚した状態の一部断面とする要部の拡大右側面図、図６は閉脚時の前脚と後脚の関係を示す要部の拡大正面図である。
【００１３】
本発明に係る折りたゝみ椅子は、図示するように上部に背凭４を渡し、全体が略縦長の矩形状をなす前脚枠１と、略Ｕ字形に曲成して左右の上端部を前記前脚枠の高さの途中に連結し人字形に組付けられる後脚枠２と、これら前後の脚枠１，２の高さの途中に両側縁部を渡し、枢着支持される座３から構成される。尚、ここでは前記前脚枠１と後脚枠２には断面楕円形状の金属パイプ材を使用しており、これをそれぞれＵ字形に折り曲げることによって形成している。
【００１４】
前脚枠１はＵ字形に曲成した中央部分を接地部１ａとし、その両端から並行に立ち上がる部分を左右の前脚１ｂ，１ｂとしてその両上端部間に背凭枠（図示せず）を渡し、これを発泡ウレタン樹脂製のパットで包んで背凭４を形成しており、全体として縦長の矩形の枠となるようにしてある。
【００１５】
他方、後脚枠２は前記前脚枠１より短く切断した楕円形金属パイプの中央部を接地部２ａとしてＵ字形に折り曲げ、並行する左右の後脚２ｂ，２ｂを立ち上げ、その両上端部を前記前脚枠１の左右の前脚１ｂ，１ｂの高さの途中に臨ませて後述する連結案内手段となる連結ロッドを介して連結してあり、前脚枠に対して「人」の字形に組付けられる。
【００１６】
座３は略矩形に組立てる金属枠（図示せず）の全体を包み込むように発泡ウレタン樹脂で被覆し、肉厚の弾性を有した板状に形成したもので、両側縁部３ａ，３ａの略中央部に前記前脚枠１の左右の前脚１ｂ，１ｂの高さの途中を臨ませ枢着ピン５を介して回動自由に枢着し、またこの枢着位置より後方において後脚枠２の左右の後脚２ｂ，２ｂを枢着ピン６により枢着し、各回動自由に連結してある。
【００１７】
この実施例における後脚枠２は前脚枠１の横幅より左右において脚の素材となる楕円形金属パイプの略１本分に相当する間隔を広げてあり、左右の前脚１ｂ，１ｂに対して左右の後脚２ｂ，２ｂが外側に位置するようにしてある。
そして、前脚枠１は左右の前脚１ｂ，１ｂを座３の両側縁部３ａ，３ａに直接添わせて前述した如く枢着ピン５により枢着し、他方外側に位置する後脚２ｂ，２ｂはＬ字形に形成し脚の内側面から立設する間隔保持金具７を介し、その先端に設ける枢着片７ａを座の側縁部３ａ，３ａに添わせて枢着ピン６により枢着し、連結するようにしてある。
【００１８】
図中、８は連結案内手段をなすと共に摩擦抵抗手段を構成する連結雄部材であり、１０は同じく前記連結案内手段であり且つ摩擦抵抗手段の一方を構成する連結雌部材である。
この雄雌の両部材は前脚１ｂ，１ｂと後脚２ｂ，２ｂの上端部とを連結するための連結手段となっており、一方の連結雄部材８は一端に枢着ピン１１を通すための横向きの透孔１２を設け、他端から略楕円形断面をなす連結ロッド９を延設している。
【００１９】
上記連結雄部材８を更に詳述すると、この部材は棒状をなす連結ロッド９を芯材にしてその一端をくの字形に屈曲させ、且つ該部分を偏平に潰してその中央に前記ピン１１を通す透孔を穿ち、更にこの部分を合成樹脂の中に埋込んで一体的なものとし全体を形成している。そして、上記連結ロッド９が延び出す合成樹脂部分の端部に鞘状のカバー１３を装着するための嵌合部１４を一体に設けて嵌め付けるようにしてある。
【００２０】
一方、連結雌部材１０は後脚枠２の左右の後脚２ｂ，２ｂの各上端の開口部に嵌合し、取り付けるようにしてあり、軸心部にそって前記ロッド９を挿通し、前記連結雄部材８と連結するものにしてある。
【００２１】
この連結雌部材１０は連結ロッド９の摺動に耐えられる強靱な素材が求められるが、更に言うならばある程度の硬度と多少の弾性を有し、高い耐摩耗性と小さい摩擦計数を有した素材が望ましく、このため合成樹脂が材料として製造加工の面からも適当である。尚、この実施例ではポリアセタール樹脂を材料に成形している。
【００２２】
この連結雌部材１０はここでは後脚２ｂの内径断面に適合させた短尺な棒状に形成してあり、一端（上端）には後脚の開口縁に当接しそれ以上の侵入を阻止する鍔１５を形成し、軸心部分には前記連結ロッド９を挿通する貫通孔１６を全長に亘って開設してある。
【００２３】
更に、この実施例では雌部材１０には先端部（下端部）から上記貫通孔１６に沿って縦に切込み１７を形成し、該先端部を二又に分割して弾性片部１０ａ，１０ａを設け、更に両弾性片部の外周面の中程にそれぞれ山形に隆起する突条１８，１８を周方向に沿って設けている。
【００２４】
連結雌部材１０に開設する前記貫通孔１６は、連結ロッド９の断面形に略適合させた穴径に形成してあり、挿通する連結ロッドに対してこれを抜き差し方向に摺動させる際に摩擦抵抗が付与できるようにしてある。
【００２５】
この連結雌部材１０は前述したように前記後脚２ｂの開口部に対して無理に押込むことによって装着されるが、その際前記切込み１７によって撓み性を高めた弾性片部１０ａ，１０ａの弾性を利用して縮径させ、そのまゝ押し入れ、それぞれの突条１８，１８と共に無理に押し込み取付ることになる。
【００２６】
図１１の図（Ａ）は後脚２ｂに嵌合させる前の前記連結雌部材１０の中央縦断面図である。尚、ここでは貫通孔１６が先端側に向って徐々に拡径するテーパー状をなすことが示してあるが、これは弾性片部１０ａ，１０ａの弾性を引き出すための処置であり、孔の全長に亘って同一径であってもよい。また切り込み１７をＵ字形にしたが、Ｖ字形でも角形でもよい。
【００２７】
一方、図（Ｂ）は上記雌部材１０を後脚２ｂの開口部に嵌合させた状態を示ししている。二又に分割された弾性片部１０ａ，１０ａは外周面に形成する突条１８，１８によって内方向に撓められ、前記テーパー状に拡径された貫通孔１６を該部分で実質的に縮径させることになる。
【００２８】
次に、図１１の図（Ｃ）は上記嵌合した連結雌部材１０に連結ロッド９を挿通し連結結合させた状態を示している。貫通孔１６の一端から挿通された前記連結ロッド９は突条１８，１８によって縮径された部分を貫通し、その先において両弾性片部１０ａ，１０ａの先端を上記突条１８，１８を枕にして無理に押し広げ、この拡張によって両先端部における弾性を高め連結ロッド９に対する挟み付けを強くして摩擦抵抗を強めることになる。
【００２９】
要するに、前記突条１８は雌部材１０を装着したとき弾性片部１０ａの枕となってその先端を浮き上げ弾力性を発揮させる作用をなすものであって、浮き上げる働きがあればよく、従ってこゝでは突条として形成してあるが、単なる突起であっても、また膨出部であってもよい。
【００３０】
さて、前記鞘状をなすカバー１３は後脚２ａを差し込める略同一断面形をなす半硬質の合成樹脂製のパイプ材を材料にして形成してあり、上端の開口部の内周面には前記連結雄部材８の嵌合部１４に形成する係止部１９に掛け止める係止爪２０を設け、下端開口部には内側面を縦に切り込んで前記間隔保持金具７の基端部を受け入れるための切欠き部２１が設けている。
【００３１】
このカバー１３は前後の脚枠１，２を閉脚する際に後脚２ｂの上端に装着される前記連結雌部材１０から引き出される連結ロッド９の露出を防止するためのもので、後脚２ｂが前脚１ｂに寄り添う如く閉脚される際に引き出される連結ロッド９を被い隠すのに充分な長さをもって形成されている。
尚、このカバー１３は装着する際、連結ロッド９の先端側から通して嵌合部１４を上端開口部に嵌め入れ、無理に押付けて素材の弾性を利用して内面の係止爪２０を係止部１９に掛け止め取付けるようにしてある。
【００３２】
図中、２２は前記間隔保持金具７の外向きの面に添わせた弾性係止板である。この弾性係止板２２は前後の脚枠１，２を閉じたとき外側に位置する後脚２ｂの内側に寄り添って間隔保持金具７との間に入り込んで来る前脚１ｂを受け止め、この間隔保持金具７との直接的な接触を回避しながら摩擦係合させるための介挿部材である。
【００３３】
この実施例に示す弾性係止板２２は後脚２ｂの内側面から延設されるＬ字形に形成してなる間隔保持金具７の内側の面（座４を中心にしたとき外向きの面となる。）に沿ってその全面を被うようにＬ字形の板片に形成してある。
【００３４】
上記間隔保持金具７の枢着片７ａに添わせる板部２２ａには端部に近い表面に断面山形をなす隆起部２３を設けてあり、また縁部には間隔保持金具７の縁部を囲む縁片２４が延設してある。そして、前記板部２２ａの上下の縁の略中間に位置する上記縁片２４の内側には掛け止めに使用される係止突起２５，２５が向い合せに設けてある（図８参照）。
【００３５】
上記弾性係止板２２には弾力性があり且つ摩擦計数の高いゴム或いは軟質合成樹脂等の材料が適当であり、図７及び図８にこの弾性係止板２２を具体的に示してある。
間隔保持金具７の形状に適合するよう形成した上記弾性係止板２２はこの保持金具７の内側の面（実質的には外向きの面となる。）を包むように被せて前記縁片２４の内側に設ける係止突起２５，２５を枢着片７ａの上下の縁に切欠き形成する凹部２６，２６に嵌合させて止め付けられる。
【００３６】
この弾性係止板２２の止め付けに当たっては素材の弾性を利用してやゝ引き伸ばし加減で装着し、間隔保持金具７に密着させる。
ここでは図示するように上記間隔保持金具の枢着片７ａの上下の縁を先端に向けて徐々に狭めてあり、これに添わせる板部２２ａを先細りの先端方向にずらすようにして係止突起２５，２５を縁片２４に設ける前記凹部２６，２６に強く係合させられるようにしてある。勿論、この取付に当たっては接着剤を使って貼り付けるようにしてもよいこと言うまでもない。
【００３７】
図９は前記弾性係止板２２の装着作業を具体的に図示したもので、図（Ａ）に示したように先ず間隔保持金具７の枢着片７ａに弾性係止板２２の板部２２ａを添わせ、その縁片２４で縁部を囲み、併せて凹部２６，２６に係止突起２５，２５を嵌合させて密着係合させる。その後図（Ｂ）に示したように他方の板部２２ｂを間隔保持金具７の基端部に添わせ、同じく縁片２４でこの基端部の縁部を囲み取付を完了するのである。
【００３８】
上記構成される折りたゝみ椅子は使用時において図１，２に示したように前後の脚フレーム１，２を人字形に開脚し、併せて座３を水平に倒して着席を可能にする。このとき後脚フレーム２は図４に示したように連結雄部材８の連結ロッド９を後脚２ｂの上端開口部深く突き入れて連結雄部材１０に直接衝き合せ、前脚１ｂとの枢着部、つまり枢着ピン１１に最も近付いた状態にしてそれ以上の開脚を阻止し、安定した状態で座３を水平に保持することになる。
【００３９】
次に、折りたゝみ閉脚する際には、座３の前縁部を持ち上げ、前脚１ｂとの枢着ピン５を支点に跳ね上げると、座の回転に伴って後脚２ｂがピン１１を支点に回動し、同時に上端開口部の連結雌部材１０から連結ロッド９を引き出しながら折りたゝまれることになる。そして跳上げた座３が前脚１ｂに揃ったとき後脚２ｂも後方からこの前脚１ｂに引き揃えられて三者が共に並行に揃い偏平状に折りたゝまれることになる。このとき、前脚１ｂは後脚２ｂの内側に入り間隔保持部材７に対面すると共に当接してそれ以上の回転が止められることになる。
【００４０】
上記折りたゝみに際して、連結ロッド９は雌部材１０の貫通孔１６から引き出されることになるが、このとき両分割片１０ａ，１０ａによって強く挟まれた状態にあり、またこれらが合成樹脂を材料に形成されていることから連結ロッド９は摩擦抵抗を受けてやゝ緩慢に抜き出され、急激な摺接移動が阻止され、前後の脚１ｂ，２ｂはゆっくり閉脚されることになる。勿論、引き出しとは逆に連結ロッド９を貫通孔１６に突き入れるときもこの抵抗は同様に生じ、その動きを緩慢なものにする。
【００４１】
一方、この連結ロッド９の引き出しの際、前脚１ｂが間隔保持金具７に接近したとき、前脚１ｂは先ずその内側面を該間隔保持部材の枢着片７ａの内側の面（つまり座３を中心としたとき外向きの面となる。）に摺接させ、この枢着片７ａに添わせた弾性係止板２２の板部２２ａに擦り合せるようにして侵入することになり、同時に板部２２ａに隆設する隆起部２３に押付けられることになる。
【００４２】
図１０の一点鎖線は間隔保持金具７に接触する前の前脚１ｂを示し、二点鎖線は弾性係止板２２の隆起部２３に前脚１ｂが乗り上げた状態を示す。このとき前脚１ｂはパイプ材の撓み性を利用して一旦外に広がり上記隆起部２３に乗り上がることになる。この状態から更に折りたゝみが進行すると、実線で示したように前脚１ｂは隆起部２３を乗り越えて間隔保持金具７の基端部を被う板部２２ｂに衝合し、この位置で止められ、この時点で折りたゝみが完了することになる。
【００４３】
この前脚１ｂと間隔保持金具７との擦り合せに当たっては隆起部２３との衝合に際してその弾性を利用してこれを押潰しながら侵入することになる。この実施例では図１０に示したように座３の両側縁部に枢着する左右の間隔保持金具７，７の枢着片７ａ，７ａの外向きの面相互間の距離に対して左右の前脚１ｂ，１ｂの内側面間の距離を略等しくしてあることから、この擦り合せの際に左右の前脚１ｂ，１ｂが弾性係止板２２の板厚分外に押し広げられることになり、擦り合せの摩擦を高め両者の噛み合せを強めることになる。
【００４４】
従って、隆起部２３を乗り越えた前脚１ｂはこの隆起部の復元により任意の戻りを止められることになり、或いはここでは前脚１ｂと弾性係止板２２が擦り合う摩擦力によって間隔保持金具７から前脚１ｂが離れるのを阻止されることになり前後の脚は勝手に開脚するのを止められることになる。
【００４５】
尚、実施例ではＬ字形に形成した間隔保持金具７を利用してこれの枢着片７ａに前脚１ｂの内側面を弾性係止板２２を介して摺接し係止する構成としたが、これに代えて例えば前記間隔保持金具をＵ字形に形成してその一片を枢着片とし、他片を後脚２ｂに対する取付片として前脚１ｂをこのＵ字形保持金具の間に割り込ませるようにして両片のいずれかに前脚１ｂの側面を摺接させ摩擦係合させるようにしても本発明を実施することができる。
【００４６】
この場合、前脚１ｂを直接間隔保持金具に摺接させると異音を発し、また損傷し、更には噛み合いが強くなり摺接が不能になることもあるので、前記実施例と同様に少なくとも前脚１ｂと直接接触する面に弾性係止板を付設して両者間に介在させ、上述の問題を解消するようにするとよい。
【００４７】
また、前記前脚の摩擦係止に当たっては平坦な弾性係止板に摺接させ、素材の摩擦力によって止め付けるようにしてもよく、また摺接面に前述の隆起部を突設したり、或いはこの面を凹凸の粗雑面に形成して係合力を高めるようにして前脚の自由な動きを止めるようにしてもよい。
【００４８】
【実施例２】
図１２〜図１４は本発明の第２の実施例を示すものである。この実施例は前脚１ｂの高さの途中に枢着する後脚２ｂの枢着軸１１を前脚１ｂの長さ方向に沿って設ける摺動溝３１に滑合させ、座３の回動によって前後の脚を開閉操作する際、該摺動溝を案内に上下に移動させて椅子の折りたゝみを行うようにした他の実施例を示したものである。
尚、説明において、前記第１の実施例と同一の部分については図面上に同一の符号を付して説明を省略する。
【００４９】
前記前脚１ｂの長さ方向に沿って形成される摺動溝３１は、開脚時と閉脚時に後脚２ｂの上端が位置するところ、つまり枢着ピン１１が位置するところを基準にしてその上端部３１ａと下端部３１ｂが設定してあり、ピン１１が上端部３１ａに当接したとき開脚して座３が水平に支持され、また下端部３１ｂに当接したとき閉脚して折りたゝまれるようにしてある。
【００５０】
この摺動溝３１は前脚１ｂの外側の面に形成してあり、前脚の中空部にはこの溝３１の全長に亘って合成樹脂製の摩擦抵抗体３２が嵌め込み固定してある。そして、この抵抗体３２には溝３１に沿って略同一の長さの溝３３を形成し、摺動溝３１に滑合する前記枢着ピン１１を嵌め入れ、溝に沿って移動可能にしてある。
【００５１】
溝３３は図１２に示したように上端部３３ａから下端部３３ｂに向けて除々に幅を狭めてあり、枢着ピン１１の軸径に略合わせて形成した上端部３３ａから下端部３３ｂに向けてピン１１を摺動したとき、抵抗を除々に強めてその摺動が緩慢になるようにしてある。
【００５２】
つまり、この実施例は枢着ピン１１とこれが滑合する摺動溝３１を以て前後の脚の連結案内手段を構成すると共に、前記抵抗体３２とその溝３３を以て摩擦抵抗手段を構成しており、座３の回動操作によって前後の脚１ｂ，２ｂを開閉する際ピン１１と溝３３が擦りあって開閉操作の抵抗となり、緩慢な動作とすることになる。
【００５３】
図中、３４，３５は座３の側縁部３ａ，３ａの前後に１個宛突設した摩擦抵抗手段たる突起部である。
この突起部３４，３５は座３に接近して設けられる前脚１ｂとの間隔を幾分超える高さに突設してあり、且つこゝでは側縁部の前後方向に沿って長く形成して座３が回動して折りたゝまれるとき座３と前脚１ｂとの交差時に互いに擦り合って抵抗となり、座の急激な回動を抑制するようになっている。
【００５４】
ここでは図１３に示したように座３を完全に折りたゝんで前脚１ｂと並行に揃えたとき、前部の突起部３４を前脚１ｂの側面の隆起する中心部を超えて後側に、そして後部の突起部３５を前脚の前側に位置するようにしてこの前脚１ｂに係合させ、任意に座３が閉脚後回転して開かないようにストッパーとして機能するようにしてある。
【００５５】
従って、この実施例では突起部３４，３５が摩擦抵抗手段として機能する外、座の任意回転を抑制する拘束手段としても機能しており、安全な操作を助けるものとなっている。
尚、上記突起部３４，３５は座３を形成する発泡ウレタン樹脂とは別体となる適度の剛性と弾性を有する耐摩耗性に優れた合成樹脂を材料にして成形し、座３の成形時に一体に埋設し、その一部を露出突出させるものにしてある。勿論、この突起部の抵抗力はその高さ、大きさによって任意に選択できるものであり、設計に従って所望とするところを選択すればよいことになる。
【００５６】
以上、本発明を図示する実施例につき説明したが、要するに前後の脚枠１，２を開閉する際、座３と脚１ｂ，又は２ｂと交わる間、若しくは脚１ｂと２ｂとの交差部に相摺接する摩擦抵抗手段が介在すればよく、相互の擦れ合いによって座及び脚の急激な開閉は回避されることになる。
【００５７】
【発明の効果】
以上実施例につき説明したように本発明折りたゝみ椅子は前後両脚フレームを開閉脚する際、摩擦抵抗手段が座と脚を、若しくは脚同志を擦り合わせて急激な回転、開閉を回避することから完全に操作取り扱うことができると共に、脚を閉じて折りたゝんだとき、前記摩擦抵抗手段が任意に開脚するのを拒むため持ち運びや収納時に勝手に開いて作業の妨げとなるようなことがなく、従って安全に且つ極めて便利に取り扱うことができる。
【図面の簡単な説明】
【図１】本発明に係る折りたゝみ椅子を使用可能な状態に開脚した斜視図。
【図２】開脚状態における椅子の一部を省略した右側面図。
【図３】閉脚した状態における椅子の一部を省略した状態の右側面図。
【図４】開脚状態における一部断面とした要部の拡大右側面図。
【図５】閉脚状態における一部を断面とした要部の拡大正面図。
【図６】開脚状態における前脚と後脚の関係を示す一部欠截した要部の拡大正面図。
【図７】要部の拡大分解斜視図。
【図８】間隔保持金具と弾性係止板との関係を示す拡大斜視図。
【図９】（Ａ）及び（Ｂ）図は間隔保持金具に弾性係止板を装着する手順を説明する拡大平面図。
【図１０】前脚と後脚の関係及び前脚と間隔保持金具との係合関係を説明する拡大平面図。
【図１１】後脚と連結雌部材との関係及び連結ロッドとの関係を示し、（Ａ）は連結雌部材の装着前、（Ｂ）は装着した状態、（Ｃ）は装着した連結雌部材に連結ロッドを挿通した状態を示す各拡大断面図である。
【図１２】第２の実施例における開脚状態の要部の側面図。
【図１３】折りたゝみ閉脚状態における要部の側面図。
【図１４】図１３のＸーＸ線断面図である。
【符号の説明】
１        前脚枠
１ｂ      前脚
２        後脚枠
２ｂ      後脚
３        座
３ａ      座の側面部
４        背凭
５，６    枢着ピン
７        間隔保持金具
７ａ      間隔保持金具の枢着片
８        連結雄部材
９        連結ロッド
１０      連結雌部材
１１      枢着ピン
１３      鞘状のカバー
１４      嵌合部
１６      貫通孔
２２      弾性係止板
２２ａ    弾性係止部の板部
２３      隆起部
２５      突起
２６      凹部
３１      摺動溝
３２      抵抗体
３３      ピンを滑合する溝
３４，３５  摩擦抵抗手段となる突起部
【図１】
0003877437.tif 000002
【図２】
0003877437.tif 000003
【図３】
0003877437.tif 000004
【図４】
0003877437.tif 000005
【図５】
0003877437.tif 000006
【図６】
0003877437.tif 000007
【図７】
0003877437.tif 000008
【図８】
0003877437.tif 000009
【図９】
0003877437.tif 000010
【図１０】
0003877437.tif 000011
【図１１】
0003877437.tif 000012
【図１２】
0003877437.tif 000013
【図１３】
0003877437.tif 000014
【図１４】
0003877437.tif 000015